(57)【要約】【課題】パブリックな機器で視聴中のコンテンツに関する情報をプライベートな機器に簡単に送信することができるようにする。【解決手段】タブレット端末および携帯電話機は、コンテンツ受信装置からの要求に応じてコンテンツ受信装置に表示中のコンテンツと連携可能なアクションやアプリケーションの情報を送信する。タブレット端末は、ユーザの操作に対応して、コンテンツ受信装置の表示部に表示されるアプリケーションの一覧の中から、ユーザ所望のアプリケーションを選択し、その選択情報をコンテンツ受信装置に送信する。携帯電話機は、コンテンツ受信装置から実行中のアプリケーションと連携するアクションの連携コマンドが送信されてきた場合、その連携コマンドを実行する。本開示は、例えば、無線での通信を行って、端末を用いてコンテンツ受信装置の操作を行う情報処理システムに適用することができる。【選択図】図１
2014002465.tif 000002
【特許請求の範囲】
【請求項１】
第１の情報処理装置は、
ユーザの操作に対応して、第２の情報処理装置に対し、連携可能なアプリケーションの情報の要求を行うアプリケーション情報要求部と、
前記連携アクション情報要求部による要求に対応して、前記第２の情報処理装置から送信されてくる第２の情報処理装置のアプリケーションの情報を受信するアプリケーション情報受信部と、
前記アプリケーション情報受信部により受信された第２の情報処理装置のアプリケーションの情報に基づいて、連携可能なアプリケーションのうち、ユーザが所望するアプリケーションを実行するためのコマンドを、前記アプリケーションに対応する第２の情報処理装置に送信するコマンド送信部と
を備え、
前記第２の情報処理装置は、
前記アプリケーション情報要求部により要求された第２の情報処理装置のアプリケーションの情報を、前記第１の情報処理装置に対して送信するアプリケーション情報送信部と、
前記コマンド送信部により送信されたコマンドを実行するコマンド実行部と
を備える
情報処理システム。
【請求項２】
ユーザの操作に対応して、他の情報処理装置に対し、連携可能なアプリケーションの情報の要求を行うアプリケーション情報要求部と、
前記アプリケーション情報要求部による要求に対応して、前記他の情報処理装置から送信されてくる他の情報処理装置のアプリケーションの情報を受信するアプリケーション情報受信部と、
前記アプリケーション情報受信部により受信された他の情報処理装置のアプリケーションの情報に基づいて、連携可能なアプリケーションのうち、ユーザが所望するアプリケーションを実行するためのコマンドを、前記アプリケーションに対応する他の情報処理装置に送信するコマンド送信部と
を備える情報処理装置。
【請求項３】
前記アプリケーション情報要求部は、前記情報処理装置における状況に連携可能なアプリケーションの情報の要求を行う
請求項２に記載の情報処理装置。
【請求項４】
前記アプリケーション情報受信部により受信された他の情報処理装置のアプリケーションの情報に基づいて、連携可能なアプリケーションの一覧を表示させる表示制御部を
さらに備える請求項３に記載の情報処理装置。
【請求項５】
前記表示制御部は、前記アプリケーションの優先度に応じて、前記アプリケーションの一覧を表示させる
請求項４に記載の情報処理装置。
【請求項６】
前記アプリケーションの優先度は、前記アプリケーションの使用頻度に応じて変更される
請求項５に記載の情報処理装置。
【請求項７】
前記アプリケーションの優先度は、前記アプリケーションに対応する他の情報処理装置が使用中である場合に高くなる
請求項５に記載の情報処理装置。
【請求項８】
前記表示制御部は、前記アプリケーションの優先度に応じて、前記アプリケーションの一覧を階層構造で表示させる
請求項４に記載の情報処理装置。
【請求項９】
前記表示制御部は、第１の階層において、前記アプリケーションの優先度に応じて、前記アプリケーションの一覧を表示させ、
第２の階層において、前記他の情報処理装置の一覧を表示させ、
第３の階層において、前記他の情報処理装置毎の前記アプリケーションの一覧を表示させる
請求項８に記載の情報処理装置。
【請求項１０】
前記表示制御部は、前記アプリケーションに対応する他の情報処理装置を示す情報をアプリケーション毎に付加して、前記アプリケーションの一覧を表示させる
請求項４に記載の情報処理装置。
【請求項１１】
前記表示制御部は、前記アプリケーションの一覧から、実行するアプリケーションが選択された場合、選択されたアプリケーションが、対応する他の情報処理装置に移動するように画面の外側に消える動画像を表示させる
請求項４に記載の情報処理装置。
【請求項１２】
前記ユーザの操作に対応して、連携可能な自己のアプリケーションの情報を取得する自己情報取得部をさらに備え、
前記コマンド送信部は、前記アプリケーション情報受信部により受信された他の情報処理装置のアプリケーションの情報および前記自己情報取得部により取得された自己のアプリケーションの情報に基づいて、連携可能なアプリケーションのうち、ユーザが所望するアプリケーションを実行するためのコマンドを、前記アプリケーションに対応する他の情報処理装置または情報処理装置に送信する
請求項３に記載の情報処理装置。
【請求項１３】
情報処理装置が、
ユーザの操作に対応して、他の情報処理装置に対し、連携可能なアプリケーションの情報の要求を行い、
前記要求に対応して、前記他の情報処理装置から送信されてくる他の情報処理装置のアプリケーションの情報を受信し、
受信された他の情報処理装置のアプリケーションの情報に基づいて、連携可能なアプリケーションのうち、ユーザが所望するアプリケーションを実行するためのコマンドを、前記アプリケーションに対応する他の情報処理装置に送信する
情報処理方法。
【請求項１４】
ユーザの操作に対応して、認証済みの情報処理装置に対し他の情報処理装置から送信されてくる連携可能なアプリケーションの情報の要求に対応して、アプリケーションの情報を、前記他の情報処理装置に対して送信するアプリケーション情報送信部と、
前記アプリケーション情報送信部により送信されたアプリケーションの情報に基づいて、連携可能なアプリケーションのうち、ユーザが所望するアプリケーションを実行するためのコマンドが送信されてきた場合、前記コマンドを実行するコマンド実行部と
を備える情報処理装置。
【請求項１５】
前記アプリケーションを実行するためのコマンドが送信されてきた場合、前記アプリケーションが前記他の情報処理装置から移動してきたように、画面の外側から現れる動画像を表示させる表示制御部
をさらに備える請求項１４に記載の情報処理装置。
【請求項１６】
情報処理装置が、
ユーザの操作に対応して、認証済みの情報処理装置に対し他の情報処理装置から送信されてくる連携可能なアプリケーションの情報の要求に対応して、アプリケーションの情報を、前記他の情報処理装置に対して送信し、
送信されたアプリケーションの情報に基づいて、連携可能なアプリケーションのうち、ユーザが所望するアプリケーションを実行するためのコマンドが送信されてきた場合、前記コマンドを実行する
情報処理方法。
【発明の詳細な説明】
【技術分野】
【０００１】
本開示は、情報処理システム、情報処理装置、および情報処理方法に関し、特に、パブリックな機器で視聴中のコンテンツを、プライベートな機器のアプリケーションと簡単に連携させることができるようにした情報処理システム、情報処理装置、および情報処理方法に関する。
【背景技術】
【０００２】
従来、テレビジョン装置におけるコンテンツの視聴中に、携帯端末をリモートコントローラとして用いてテレビジョン装置の操作を行うことがあった。
【０００３】
例えば、特許文献１には、テレビジョン装置で実行可能な操作コマンドを表示し、表示された操作コマンドを、リモートコントローラを用いて選択することで、テレビジョン装置の操作を行うことが記載されている。
【０００４】
一方、近年、テレビジョン装置や携帯端末にも様々なアプリケーションをインストールできるようになってきている。
【０００５】
そこで、例えば、様々なアプリケーションがインストールされているテレビジョン装置において、携帯端末で操作しながら、視聴中のコンテンツの内容をアプリケーションに通知して使用しようとする。
【先行技術文献】
【特許文献】
【０００６】
【特許文献１】特開平６−６２４６４号公報
【発明の概要】
【発明が解決しようとする課題】
【０００７】
しかしながら、目的のアプリケーションが、自分の携帯端末にはインストールされているが、テレビジョン装置にはインストールされていないことがあった。
【０００８】
また、携帯端末は、自分のみ使用するプライベートな（私的な）機器であるが、テレビジョン装置は、パブリックな（公的な）機器である。したがって、テレビジョン装置に目的のアプリケーションがインストールされていても、自分のアカウントでなく、家族のアカウントでログインされていることがあった。さらに、自分のアカウントでログインされていても、テレビジョン装置におけるコンテンツを一緒に視聴中の家族にアプリケーションの内容が見られてしまうことがあった。
【０００９】
本開示は、このような状況に鑑みてなされたものであり、パブリックな機器で視聴中のコンテンツを、プライベートな機器のアプリケーションと簡単に連携させることができるものである。
【課題を解決するための手段】
【００１０】
本開示の第１の側面の情報処理システムは、第１の情報処理装置は、ユーザの操作に対応して、第２の情報処理装置に対し、連携可能なアプリケーションの情報の要求を行うアプリケーション情報要求部と、前記アプリケーション情報要求部による要求に対応して、前記第２の情報処理装置から送信されてくる第２の情報処理装置のアプリケーションの情報を受信するアプリケーション情報受信部と、前記アプリケーション情報受信部により受信された第２の情報処理装置のアプリケーションの情報に基づいて、連携可能なアプリケーションのうち、ユーザが所望するアプリケーションを実行するためのコマンドを、前記アプリケーションに対応する第２の情報処理装置に送信するコマンド送信部とを備え、前記第２の情報処理装置は、前記アプリケーション情報要求部により要求された第２の情報処理装置のアプリケーションの情報を、前記第１の情報処理装置に対して送信するアプリケーション情報送信部と、前記コマンド送信部により送信されたコマンドを実行するコマンド実行部とを備える。
【００１１】
本開示の第２の側面の情報処理装置は、ユーザの操作に対応して、他の情報処理装置に対し、連携可能なアプリケーションの情報の要求を行うアプリケーション情報要求部と、前記アプリケーション情報要求部による要求に対応して、前記他の情報処理装置から送信されてくる他の情報処理装置のアプリケーションの情報を受信するアプリケーション情報受信部と、前記アプリケーション情報受信部により受信された他の情報処理装置のアプリケーションの情報に基づいて、連携可能なアプリケーションのうち、ユーザが所望するアプリケーションを実行するためのコマンドを、前記アプリケーションに対応する他の情報処理装置に送信するコマンド送信部とを備える。
【００１２】
前記アプリケーション情報要求部は、前記情報処理装置における状況に連携可能なアプリケーションの情報の要求を行うことができる。
【００１３】
前記アプリケーション情報受信部により受信された他の情報処理装置のアプリケーションの情報に基づいて、連携可能なアプリケーションの一覧を表示させる表示制御部をさらに備えることができる。
【００１４】
前記表示制御部は、前記アプリケーションの優先度に応じて、前記アプリケーションの一覧を表示させることができる。
【００１５】
前記アプリケーションの優先度は、前記アプリケーションの使用頻度に応じて変更されることができる。
【００１６】
前記アプリケーションの優先度は、前記アプリケーションに対応する他の情報処理装置が使用中である場合に高くなる。
【００１７】
前記表示制御部は、前記アプリケーションの優先度に応じて、前記アプリケーションの一覧を階層構造で表示させることができる。
【００１８】
前記表示制御部は、第１の階層において、前記アプリケーションの優先度に応じて、前記アプリケーションの一覧を表示させ、第２の階層において、前記他の情報処理装置の一覧を表示させ、第３の階層において、前記他の情報処理装置毎の前記アプリケーションの一覧を表示させることができる。
【００１９】
前記表示制御部は、前記アプリケーションに対応する他の情報処理装置を示す情報をアプリケーション毎に付加して、前記アプリケーションの一覧を表示させることができる。
【００２０】
前記表示制御部は、前記アプリケーションの一覧から、実行するアプリケーションが選択された場合、選択されたアプリケーションが、対応する他の情報処理装置に移動するように画面の外側に消える動画像を表示させることができる。
【００２１】
前記ユーザの操作に対応して、連携可能な自己のアプリケーションの情報を取得する自己情報取得部をさらに備え、前記コマンド送信部は、前記アプリケーション情報受信部により受信された他の情報処理装置のアプリケーションの情報および前記自己情報取得部により取得された自己のアプリケーションの情報に基づいて、連携可能なアプリケーションのうち、ユーザが所望するアプリケーションを実行するためのコマンドを、前記アプリケーションに対応する他の情報処理装置または情報処理装置に送信することができる。
【００２２】
本開示の第２の側面の情報処理方法は、画像処理装置が、ユーザの操作に対応して、他の情報処理装置に対し、連携可能なアプリケーションの情報の要求を行い、前記要求に対応して、前記他の情報処理装置から送信されてくる他の情報処理装置のアプリケーションの情報を受信し、受信された他の情報処理装置のアプリケーションの情報に基づいて、連携可能なアプリケーションのうち、ユーザが所望するアプリケーションを実行するためのコマンドを、前記アプリケーションに対応する他の情報処理装置に送信する。
【００２３】
本開示の第３の側面の情報処理装置は、ユーザの操作に対応して、他の情報処理装置から送信されてくる連携可能なアプリケーションの情報の要求に対応して、アプリケーションの情報を、前記他の情報処理装置に対して送信するアプリケーション情報送信部と、前記アプリケーション情報送信部により送信されたアプリケーションの情報に基づいて、連携可能なアプリケーションのうち、ユーザが所望するアプリケーションを実行するためのコマンドが送信されてきた場合、前記コマンドを実行するコマンド実行部とを備える。
【００２４】
前記アプリケーションを実行するためのコマンドが送信されてきた場合、前記アプリケーションが前記他の情報処理装置から移動してきたように、画面の外側から現れる動画像を表示させる表示制御部をさらに備えることができる。
【００２５】
本開示の第３の側面の画像処理方法は、情報処理装置が、ユーザの操作に対応して、他の情報処理装置から送信されてくる連携可能なアプリケーションの情報の要求に対応して、アプリケーションの情報を、前記他の情報処理装置に対して送信し、送信されたアプリケーションの情報に基づいて、連携可能なアプリケーションのうち、ユーザが所望するアプリケーションを実行するためのコマンドが送信されてきた場合、前記コマンドを実行する。
【００２６】
本開示の第１の側面においては、第１の情報処理装置により、ユーザの操作に対応して、第２の情報処理装置に対し、連携可能なアプリケーションの情報の要求が行われ、前記要求に対応して、前記第２の情報処理装置から送信されてくる第２の情報処理装置のアプリケーションの情報が受信され、受信された第２の情報処理装置のアプリケーションの情報に基づいて、連携可能なアプリケーションのうち、ユーザが所望するアプリケーションを実行するためのコマンドが、前記アプリケーションに対応する第２の情報処理装置に送信される。また、前記第２の情報処理装置により、要求された第２の情報処理装置のアプリケーションの情報が、前記第１の情報処理装置に対して送信され、送信されたコマンドが実行される。
【００２７】
本開示の第２の側面においては、ユーザの操作に対応して、他の情報処理装置に対し、連携可能なアプリケーションの情報の要求が行われ、前記要求に対応して、前記他の情報処理装置から送信されてくる他の情報処理装置のアプリケーションの情報が受信される。そして、受信された他の情報処理装置のアプリケーションの情報に基づいて、連携可能なアプリケーションのうち、ユーザが所望するアプリケーションを実行するためのコマンドが、前記アプリケーションに対応する他の情報処理装置に送信される。
【００２８】
本開示の第３の側面においては、ユーザの操作に対応して、他の情報処理装置から送信されてくる連携可能なアプリケーションの情報の要求に対応して、アプリケーションの情報が、前記他の情報処理装置に対して送信される。そして、送信されたアプリケーションの情報に基づいて、連携可能なアプリケーションのうち、ユーザが所望するアプリケーションを実行するためのコマンドが送信されてきた場合、前記コマンドが実行される。
【発明の効果】
【００２９】
本開示によれば、パブリックな機器で実行中のコンテンツを、プライベートな機器のアプリケーションと簡単に連携させることができる。
【図面の簡単な説明】
【００３０】
【図１】本技術を適用した情報処理システムの構成例を示す図である。
【図２】コンテンツ受信装置の構成例を示すブロック図である。
【図３】制御部の機能構成例を示すブロック図である。
【図４】タブレット装置の構成例を示すブロック図である。
【図５】制御部の機能構成例を示すブロック図である。
【図６】情報処理システムの動作を説明するフローチャートである。
【図７】リモートコントローラアプリケーションを動作中の表示部の表示例を示す図である。
【図８】コンテンツ連携アクション情報の構成例を示す図である。
【図９】コンテンツ受信装置に表示される表示中のコンテンツと連携可能なアプリケーションの一覧の例を示す図である。
【図１０】コンテンツ受信装置に表示される表示中のコンテンツと連携可能なアプリケーションの一覧を説明する図である。
【図１１】コンテンツ受信装置に表示される表示中のコンテンツと連携可能なアプリケーションの一覧を説明する図である。
【図１２】表示部の表示例を示す図である。
【図１３】コンピュータの構成例を示すブロック図である。
【発明を実施するための形態】
【００３１】
以下、本開示を実施するための形態（以下実施の形態とする）について説明する。なお、説明は以下の順序で行う。
１．第１の実施の形態（情報処理システム）
２．第２の実施の形態（コンピュータ）
【００３２】
＜１．第１の実施の形態（情報処理システム）＞
[情報処理システムの構成]
図１は、本技術を適用した情報処理システムの構成例を示す図である。
【００３３】
図１の情報処理システム１０１は、コンテンツ受信装置１１１、タブレット端末１１２、および高機能携帯電話機１１３（以下、単に携帯電話機１１３と称する）を含むように構成されている。
【００３４】
本技術を適用した第１の情報処理装置の例としてのコンテンツ受信装置１１１は、放送コンテンツやインターネットコンテンツを受信する装置であり、表示部１２１を有している。本技術を適用した第２の情報処理装置の例としてのタブレット端末１１２は、「タブレット端末」と呼ばれる 携帯型の情報端末であり、表示部１２２を有している。本技術を適用した第２の情報処理装置の例としての携帯電話機１１３は、「スマートフォン」などと呼ばれ、通話機能だけではなく、コンピュータとしての様々な多機能を有する高機能携帯電話機であり、表示部１２３を有している。
【００３５】
情報処理システム１０１において、コンテンツ受信装置１１１、タブレット端末１１２、および携帯電話機１１３は、無線での通信を相互に行う。
【００３６】
ここで、コンテンツ受信装置１１１の表示部１２１は、ユーザの家族みんなで利用されるパブリックな機器である。携帯電話機１１３は、ユーザ個人で利用するプライベートな機器である。これらに対して、タブレット端末１１２は、コンテンツ受信装置１１１よりもプライベートであるが、携帯電話機１１３よりもパブリックな機器であるといえる。
【００３７】
コンテンツ受信装置１１１は、例えば、映像閲覧アプリケーションやコンテンツ受信アプリケーションなどを有している。コンテンツ受信装置１１１は、例えば、映像閲覧アプリケーションを実行中であり、その映像閲覧アプリケーションで表示中のコンテンツと連携可能なアクション（機能）を有するアプリケーションとして、さらに、アプリケーションＡおよびＢを有している。
【００３８】
タブレット端末１１２は、例えば、コンテンツ受信装置１１１を操作可能なリモートコントローラアプリケーションなどを有している。また、タブレット端末１１２は、コンテンツ受信装置１１１で実行中の映像閲覧アプリケーション、または表示中のコンテンツと連携可能なアクション（機能）を有するアプリケーションとして、アプリケーションＢを有している。
【００３９】
携帯電話機１１３は、例えば、コンテンツ受信装置１１１を操作可能なリモートコントローラアプリケーションを有している。また、携帯電話機１１３は、コンテンツ受信装置１１１で実行中の映像閲覧アプリケーションと連携可能なアクション（機能）を有するアプリケーションとして、アプリケーションＡを有している。
【００４０】
ここで、アクションとは、例えば、コンテンツ情報とともにアプリケーションを立ち上げる、または、コンテンツ関連URLをブラウザ（アプリケーション）で開くなどの機器における動作（機能）を意味する。アクションの例としては、コンテンツ関連電話番号で電話する、コンテンツ関連FAX番号にFAXする、または、コンテンツ関連アドレスにメールするなどがある。また、アクションの例としては、さらに、コンテンツ関連画像、動画像、音声を、再生アプリケーションで視聴する、または、コンテンツ関連文字情報、画像、動画像、音声などの情報を他の機器に保存するなどがある。  
【００４１】
コンテンツ受信装置１１１、タブレット端末１１２、および携帯電話機１１３は、コンテンツ連携アプリケーションを有している。コンテンツ連携アプリケーションとは、コンテンツ受信装置１１１の状況（すなわち、表示中のコンテンツ、または、実行中のアプリケーション）と連携可能なアクションの情報をペアリング済みの機器から取得し、ユーザ所望のアクション（機能）を、対応する機器に実行させるアプリケーションである。
【００４２】
なお、コンテンツ連携アプリケーションは、コンテンツ受信装置１１１と、タブレット端末１１２および携帯電話機１１３とで機能が異なるので、区別のために、コンテンツ受信装置１１１が有する方を、マスター側のコンテンツ連携アプリケーションと称する。他方、タブレット端末１１２および携帯電話機１１３が有する方を、スレーブ側コンテンツ連携アプリケーションと称する。
【００４３】
ユーザは、リモートコントローラアプリケーションを実行中のタブレット端末１１２または携帯電話機１１３を用いて表示部１２２または１２３に表示されるコンテンツ連携キーを操作し、マスター側のコンテンツ連携アプリケーションを起動させる。
【００４４】
なお、コンテンツ受信装置１１１の無線通信範囲に存在するタブレット端末１１２および携帯電話機１１３は、コンテンツ受信装置１１１とペアリング（接続認証）済みであるとする。
【００４５】
コンテンツ受信装置１１１は、例えば、タブレット端末１１２または携帯電話機１１３から送信されてくるコンテンツ連携キーを受けると、マスター側のコンテンツ連携アプリケーションを起動し、ペアリング済みのタブレット端末１１２および携帯電話機１１３の情報を取得する。
【００４６】
そして、コンテンツ受信装置１１１は、取得した情報を基に、ペアリング済みのタブレット端末１１２および携帯電話機１１３に対して、表示中のコンテンツと連携可能なアクション（詳しくは、そのアクションを有するアプリケーション）の情報を要求する。また、コンテンツ受信装置１１１は、表示中のコンテンツと連携可能な自己のアクション（詳しくは、そのアクションを有するアプリケーション）の情報を取得する。
【００４７】
表示中のコンテンツと連携可能なアクションの情報を、以下、コンテンツ連携アクション情報と称して説明する。
【００４８】
コンテンツ受信装置１１１は、タブレット端末１１２および携帯電話機１１３からのコンテンツ連携アクションの情報と自己のコンテンツ連携アクションの情報とに基づいて、表示中のコンテンツと連携可能なアクションを有するアプリケーションの一覧を生成する。コンテンツ受信装置１１１は、生成したアプリケーションの一覧を表示部１２１に表示させる。
【００４９】
コンテンツ受信装置１１１は、例えば、タブレット端末１１２または携帯電話機１１３からのアプリケーションの選択情報を受け取る。アプリケーションの選択情報には、選択されたアプリケーションにおける、表示中のコンテンツと連携するアクションの連携コマンドと、そのアクションを有するアプリケーションおよび機器の情報などが示されている。コンテンツ受信装置１１１は、選択されたアプリケーションにおいて、表示中のコンテンツと連携するアクションの連携コマンドを、選択されたアプリケーションに対応する機器に送信する。
【００５０】
タブレット端末１１２または携帯電話機１１３は、ユーザの操作に応じて、マスター側のコンテンツ連携アプリケーションを起動するためのコンテンツ連携キーを送信する。タブレット端末１１２または携帯電話機１１３は、コンテンツ受信装置１１１からのコンテンツ連携アクション情報の要求に応じて、スレーブ側のコンテンツ連携アプリケーションを起動し、コンテンツ連携アクションの情報を、コンテンツ受信装置１１１に送信する。
【００５１】
タブレット端末１１２または携帯電話機１１３は、表示部１２２または１２３に表示される操作キーのユーザの操作に対応して、コンテンツ受信装置１１１の表示部１２１に表示されるアプリケーションの一覧の中から、ユーザ所望のアプリケーションを選択する。タブレット端末１１２または携帯電話機１１３は、その選択情報を、コンテンツ受信装置１１１に送信する。
【００５２】
そして、タブレット端末１１２および携帯電話機１１３は、コンテンツ受信装置１１１から表示中のコンテンツと連携するアクションの連携コマンドが送信されてきた場合、その連携コマンドを実行する。
【００５３】
これにより、例えば、コンテンツ受信装置１１１において表示中のコンテンツ（すなわち、実行中のアプリケーションのコンテンツ）と連携するアクションが、所望の機器において実行される。
【００５４】
なお、図１の例においては、コンテンツ受信装置１１１とペアリング済みの装置として、タブレット端末１１２および携帯電話機１１３の２台の例を示したが、２台に限らない。また、タブレット端末１１２および携帯電話機１１３は、どちらも携帯可能な端末であるが、携帯可能な端末に限らない。すなわち、コンテンツ受信装置１１１とペアリング済みの装置は、パーソナルコンピュータなどの情報処理装置であってもよいし、他のコンテンツ受信装置であってもよい。
【００５５】
［コンテンツ受信装置の構成例］
図２は、コンテンツ受信装置の構成例を示すブロック図である。
【００５６】
図２の例においては、コンテンツ受信装置１１１は、コンテンツ受信部１４１、ペアリング機器管理部１４２、アプリケーション情報管理部１４３、コンテンツ情報管理部１４４、および制御部１４５を含むように構成されている。また、コンテンツ受信装置１１１は、表示制御部１４６、受信部１４７、送信部１４８、およびユーザ操作入力部１４９を含むように構成されている。
【００５７】
コンテンツ受信部１４１は、制御部１４５の制御のもと、放送コンテンツやインターネットコンテンツを受信し、受信したコンテンツを、制御部１４５に出力する。
【００５８】
ペアリング機器管理部１４２は、コンテンツ受信装置１１１にペアリング済みの装置の情報、例えば、IPアドレス、MACアドレス、ニックネーム、端末名、およびOSのバージョンなどを記憶し、管理する。
【００５９】
アプリケーション情報管理部１４３は、コンテンツ受信装置１１１にインストール済みの（すなわち、コンテンツ受信装置１１１が保持する）アプリケーションの情報を記憶し、管理する。アプリケーションの情報としては、例えば、アプリケーションの名称、識別ＩＤ、連携可能なコンテンツのタイプ、および連携機能名などが記憶されている。
【００６０】
コンテンツ情報管理部１４４は、表示部１２１に表示中のコンテンツの情報として、制御部１４５が実行中のアプリケーション、コンテンツのタイプ、コンテンツ名などを記憶し、管理している。
【００６１】
制御部１４５には、ユーザ操作入力部１４９から入力されるユーザの操作、または受信部１４７で受信されるタブレット端末１１２および携帯電話機１１３を介してのユーザの操作や情報が入力される。制御部１４５は、入力されるユーザの操作や情報に応じて、アプリケーション情報管理部１４３が管理しているアプリケーションを実行し、コンテンツ受信装置１１１の各部を制御する。
【００６２】
例えば、制御部１４５は、コンテンツを受信するためのアプリケーションを実行することで、コンテンツ受信部１４１を制御し、コンテンツを受信させ、受信されたコンテンツに所定の信号処理を行い、処理後の画像を表示制御部１４６に出力し、表示部１２１に表示させる。
【００６３】
また、例えば、制御部１４５は、受信部１４５により受信されるコンテンツ連携キーに応じて、コンテンツ連携アプリケーションを実行し、図３に後述されるように機能して、各部を制御し、コンテンツ連携処理を行う。
【００６４】
表示制御部１４６は、制御部１４５の制御のもと、表示部１２１に画像やＧＵＩ(Graphical User Interface)などを表示させる。
【００６５】
受信部１４７は、無線通信により、無線通信範囲に存在するタブレット端末１１２および携帯電話機１１３などからの情報を受信し、受信した情報を制御部１４５に供給する。
【００６６】
送信部１４８は、制御部１４５の制御のもと、無線通信により、無線通信範囲に存在するタブレット端末１１２および携帯電話機１１３とペアリングのための情報を送信したり、ペアリング済みのタブレット端末１１２および携帯電話機１１３に情報を送信する。
【００６７】
ユーザ操作入力部１４９は、例えば、図示せぬリモートコントローラやボタンなどで構成され、ユーザの操作に対応する操作信号を、制御部１４５に供給する。
【００６８】
［制御部の機能構成例］
図３は、制御部の機能構成例を示す図である。なお、図３の制御部１４５においては、マスター側のコンテンツ連携アプリケーション１５１が実行されている。
【００６９】
図３の例において、制御部１４５は、マスター側のコンテンツ連携アプリケーション１５１の実行により機能する各部を含むように構成されている。すなわち、制御部１４５は、連携アクション情報要求部１６１、連携アクション情報受信部１６２、自己情報取得部１６３、コマンド送信部１６４、コマンド実行部１６５、および制御部１６６を含むように構成されている。
【００７０】
連携アクション情報要求部１６１は、制御部１６６からの制御のもと、ペアリング機器管理部１４２に管理されているペアリング済みの装置の情報を取得する。連携アクション情報要求部１６１は、取得した情報に基づいて、送信部１４８を介して、ペアリング済みの装置に対して、アプリケーションの情報を要求する。
【００７１】
このとき、連携アクション情報要求部１６１は、コンテンツ情報管理部１４４により管理されている表示中のコンテンツの情報を取得し、送信する。これにより、連携アクション情報要求部１６１は、表示中のコンテンツ（実行中のアプリケーション）と連携可能なアクションを有するアプリケーションの情報であるコンテンツ連携アクション情報を要求することができる。
【００７２】
連携アクション情報受信部１６２は、受信部１４７により受信されたペアリング済みのタブレット端末１１２および携帯電話機１１３からのコンテンツ連携アクション情報を取得し、制御部１６６に供給する。
【００７３】
自己情報取得部１６３は、制御部１６６の制御のもと、コンテンツ情報管理部１４４により管理されている表示中のコンテンツの情報を基に、コンテンツ連携アクション情報を取得し、制御部１６６に供給する。
【００７４】
コマンド送信部１６４は、制御部１６６の制御のもと、ユーザにより選択された機器のアクションを実行させるコンテンツ連携コマンドを、送信部１４８を介して送信する。なお、ユーザにより選択された装置が、コンテンツ受信装置１１１（自分）の場合、コマンド送信部１６４は、コンテンツ連携コマンドを、コマンド実行部１６５に供給する。
【００７５】
コマンド実行部１６５は、コマンド送信部１６４からの連携コマンドを実行する。すなわち、コマンド実行部１６５は、連携コマンドでアクションを実行する。
【００７６】
制御部１６６には、連携アクション情報受信部１６２からのペアリング済みの装置のコンテンツ連携アクション情報と、自己情報取得部１６３からのコンテンツ連携アクション情報が供給される。制御部１６６は、表示制御部１４６を制御し、供給される情報に基づいて、表示中のコンテンツと連携可能なアクションを有するアプリケーションの一覧（以下、連携可能なアプリケーションの一覧と称する）を生成させ、表示部１２１に表示させる。
【００７７】
制御部１６６には、ユーザがタブレット端末１１２または携帯電話機１１３を操作することで、表示部１２１に表示される連携可能なアプリケーションの一覧から選択されたアプリケーションの情報が、受信部１４７を介して供給される。制御部１６６は、コマンド送信部１６４を制御し、受信部１４７から供給される情報に基づいて、選択されたアプリケーションにおけるコンテンツ連携コマンドを、選択されたアプリケーションが対応する機器に送信させる。
【００７８】
［タブレット端末の構成例］
図４は、タブレット端末の構成例を示すブロック図である。
【００７９】
図４のタブレット端末１１２は、機器情報管理部１８１、アプリケーション情報管理部１８２、制御部１８３、表示制御部１８４、受信部１８５、送信部１８６、およびユーザ操作入力部１８７を含むように構成されている。
【００８０】
機器情報管理部１８１は、自己の機器情報として、例えば、IPアドレス、MACアドレス、ニックネーム、端末名、およびOSのバージョンなどを記憶し、管理している。これらの情報は、無線通信のペアリング処理時に読み出されて、ペアリング対象の装置（コンテンツ受信装置１１１）に送信される。
【００８１】
アプリケーション情報管理部１８２は、タブレット端末１１２にインストール済みの（すなわち、タブレット端末１１２が保持する）アプリケーションの情報を記憶し、管理する。アプリケーションの情報としては、例えば、アプリケーションの名称、アイコン画像データ、識別ＩＤ、および連携可能なコンテンツのタイプなどが記憶されている。
【００８２】
制御部１８３は、ユーザ操作入力部１８７から入力されるユーザの操作や受信部１８６で受信されるコンテンツ受信装置１１１からの情報などが入力される。制御部１８３は、入力されるユーザの操作や情報に応じて、アプリケーション情報管理部１８２が管理しているアプリケーションを実行し、タブレット端末１１２の各部を制御する。
【００８３】
例えば、制御部１８３は、ユーザの操作に応じて、リモートコントローラアプリケーションを実行することで、図５を参照して後述するように機能して、各部を制御し、ユーザの操作に対応する操作情報を、対象の機器（例えば、コンテンツ受信装置１１１）に送信する。
【００８４】
また、例えば、制御部１８３は、コンテンツ受信装置１１１からのコンテンツ連携アクション情報の要求に対応して、スレーブ側のコンテンツ連携アプリケーションを実行することで、図５を参照して後述するように機能して、各部を制御し、コンテンツ連携処理を行う。
【００８５】
表示制御部１８４は、制御部１８３の制御のもと、表示部１２２に画像やＧＵＩなどを表示させる。
【００８６】
受信部１８５は、無線通信により、無線通信範囲に存在するコンテンツ受信装置１１１および携帯電話機１１３などからの情報を受信し、受信した情報を制御部１８３に供給する。
【００８７】
送信部１８６は、制御部１８３の制御のもと、無線通信により、無線通信範囲に存在するコンテンツ受信装置１１１とペアリングのための情報を送信したり、ペアリング済みのコンテンツ受信装置１１１に情報を送信する。
【００８８】
ユーザ操作入力部１８７は、例えば、表示部１２２に積層されているタッチパネルや筐体に設けられているトラックボールなどで構成され、ユーザの操作に対応する操作信号を、制御部１８３に供給する。
【００８９】
［制御部の機能構成例］
図５は、制御部の機能構成例を示す図である。なお、図５の制御部１８３においては、リモートコントローラアプリケーション１９１およびスレーブ側のコンテンツ連携アプリケーション１９２が実行されている。
【００９０】
図５の例において、制御部１８３は、リモートコントローラアプリケーション１９１の実行により機能する操作情報送信部２０１を含むように構成されている。また、制御部１８３は、スレーブ側のコンテンツ連携アプリケーション１９２の実行により機能する連携アクション情報送信部２０２およびコマンド実行部２０３を含むように構成されている。
【００９１】
操作情報送信部２０１は、ユーザによるユーザ操作入力部１８７の操作に対応する操作情報を、送信部１８６を制御し、コンテンツ受信装置１１１に送信する。例えば、操作情報送信部２０１は、ユーザの操作に応じて、マスター側のコンテンツ連携アプリケーション１５１を立ち上げるためのコンテンツ連携キーを送信させる。また、例えば、操作情報送信部２０１は、ユーザの操作に応じて、マスター側のコンテンツ連携アプリケーション１５１によりコンテンツ受信装置１１１に表示されるアプリケーションの一覧表示のうち、ユーザ所望のアプリケーションの選択情報を送信させる。
【００９２】
なお、例えば、コンテンツ受信装置１１１からのコンテンツ連携アクション情報の要求が受信部１８５より制御部１８３に供給される。これに対応して、制御部１８３において、スレーブ側コンテンツ連携アプリケーション１９２が起動し、連携アクション情報送信部２０２およびコマンド実行部２０３が機能する。
【００９３】
連携アクション情報送信部２０２は、この受信部１８５により受信された要求に対応して、アプリケーション情報管理部１８２から、コンテンツ連携アクション情報を取得する。連携アクション情報送信部２０２は、取得したコンテンツ連携アクション情報を、送信部１８６を制御し、要求元のコンテンツ受信装置１１１に送信させる。
【００９４】
コマンド実行部２０３は、コンテンツ受信装置１１１からの連携コマンドが受信され、受信部１８５よりその連携コマンドが供給されると、供給された連携コマンドを実行する。すなわち、コマンド実行部２０３は、供給された連携コマンドで、連携可能なアクションを実行する。
【００９５】
なお、上記説明においては、スレーブ側コンテンツ連携アプリケーション１９２は、受信部１８５を介して、コンテンツ連携アクション情報の要求が受信されたタイミングで起動するとして説明したが、予めユーザの操作により起動するようにしてもよい。
【００９６】
また、図４および図５の例においては、タブレット端末１１２の構成例を示したが、携帯電話機１１３は、図４および図５を参照して上述したタブレット端末１１２と通話機能を有していることが異なるが、それ以外の機能ブロックは、基本的に同じ構成である。したがって、図４および図５の機能ブロック図を、以下、携帯電話機１１３の構成例としても利用する。
【００９７】
ただし、タブレット端末１１２および携帯電話機１１３において、リモートコントローラアプリケーション１９１が実行されていない場合もあり得る。この場合、制御部１８３は、スレーブ側のコンテンツ連携アプリケーション１９２の実行により機能する連携アクション情報送信部２０２およびコマンド実行部２０３のみを含むように構成されることとなる。
【００９８】
［情報処理システムの動作］
次に、図６のフローチャートを参照して、情報処理システム１０１の処理について説明する。なお、コンテンツ受信装置１１１には、タブレット端末１１２と携帯電話機１１３がペアリング済みであるとする。
【００９９】
例えば、いま、ユーザがソファに座り、タブレット端末１１２上で実行されているリモートコントローラアプリケーション１９１でコンテンツ受信装置１１１を操作しながら、コンテンツ受信装置１１１の表示部１２１を見ている。ユーザのズボンのポケットには、携帯電話機１１３が入っている。
【０１００】
コンテンツ受信装置１１１においては、コンテンツを受信するためのアプリケーションが実行されており、コンテンツ受信部１４１により受信されたコンテンツ（例えば、旅番組）が表示部１２１に表示されている。
【０１０１】
ユーザは、旅番組でハワイをみていたらいつか行きたくなったので、ノートを取るように様々な情報を蓄積するノートアプリケーションにその旅番組のハワイの情報をクリップ（保存）したくなった。
【０１０２】
ところが、ノートアプリケーションは、タブレット端末１１２にインストールされていないが、コンテンツ受信装置１１１と携帯電話機１１３にインストール済みである。ただし、コンテンツ受信装置１１１におけるノートアプリケーションは、父のアカウントであり、また、ノートアプリケーションを起動させると、現在視聴中の旅番組が隠れてしまうため、自分の携帯電話機１１３のノートアプリケーションにクリップしたい。
【０１０３】
そこで、ユーザは、タブレット端末１１２のリモートコントローラアプリケーション１９１を用いてコンテンツ連携ボタンを押下する。すなわち、リモートコントローラアプリケーション１９１が起動されると、表示制御部１８４は、制御部１８３の制御のもと、表示部１２２に、図７に示されるコンテンツ連携ボタン２１１と、操作ボタン２１２とを表示させる。
【０１０４】
コンテンツ連携ボタン２１１は、コンテンツ受信装置１１１のマスター側のコンテンツ連携アプリケーション１５１を起動させるためのボタンである。操作ボタン２１２は、コンテンツ受信装置１１１に表示されるＧＵＩ（例えば、後述する連携可能なアプリケーションの一覧表示）を操作するためのボタンであり、上下左右の各ボタンと、決定ボタンとで構成されている。
【０１０５】
ユーザが表示部１２２に表示されるコンテンツ連携ボタン２１１を押下する。これに対応して、タブレット端末１１２のユーザ操作入力部１８７は、ユーザのコンテンツ連携ボタン２１１の押下に対応する操作信号を、操作情報送信部２０１に供給する。
【０１０６】
図６に戻り、ステップＳ１３１において、タブレット端末１１２の操作情報送信部２０１は、ユーザ操作入力部１８７からの操作信号に対応して、コンテンツ連携キーを、送信部１８６を制御し送信させる。送信部１８６は、無線通信により、コンテンツ連携キーを送信する。
【０１０７】
コンテンツ受信装置１１１の受信部１４７は、ステップＳ１０１においてコンテンツ連携キーを受信し、受信したコンテンツ連携キーを制御部１４５に供給する。これに対応して、制御部１４５は、マスター側のコンテンツ連携アプリケーション１５１を起動させ、図３に示されるブロックを機能させる。
【０１０８】
コンテンツ受信装置１１１の連携アクション情報要求部１６１は、ステップＳ１０２において、制御部１６６の制御のもと、ペアリング機器管理部１４２から、ペアリング済みの機器の情報を取得する。
【０１０９】
連携アクション情報要求部１６１は、ステップＳ１０３において、取得した情報に基づいて、送信部１４８を介して、無線通信により、ペアリング済みの機器のうちのタブレット端末１１２に対して、コンテンツ連携アクション情報を要求する。なお、このとき、連携アクション情報要求部１６１は、コンテンツ情報管理部１４４により管理されている表示中のコンテンツの情報を取得し、送信することで、そのコンテンツに連携可能なコンテンツ連携アクション情報を要求する。
【０１１０】
タブレット端末１１２の受信部１８５は、ステップＳ１３２において、コンテンツ受信装置１１１からのコンテンツ連携アクション情報の要求を受信し、制御部１８３に供給する。これに対応して、制御部１８３は、スレーブ側のコンテンツ連携アプリケーション１９２を起動させ、図５に示されるブロックの一部を機能させる。
【０１１１】
タブレット端末１１２の連携アクション情報送信部２０２は、アプリケーション情報管理部１８２から、コンテンツ連携アクション情報を取得する。連携アクション情報送信部２０２は、取得したコンテンツ連携アクション情報を、ステップＳ１３３において、送信部１８６を制御し、無線通信により、要求元のコンテンツ受信装置１１１に送信させる。
【０１１２】
コンテンツ連携アクション情報は、例えば、図８に示されるように、通し番号、識別IＩＤ、アプリケーション名称、連携機能名、アカウント情報、およびアイコン画像データ情報からなるテーブルで構成されている。図８に示されるテーブル内の情報は、全て文字情報である。
【０１１３】
まず、通し番号が１のコンテンツ連携アクション情報は、識別ＩＤが３であり、アプリケーション名称がAAAであり、連携機能名がPPPPであり、アカウント情報がTom Brownであり、アイコン画像データ情報がXXXXであることが示されている。
【０１１４】
通し番号が２のコンテンツ連携アクション情報は、識別ＩＤが５であり、アプリケーション名称がBBBであり、連携機能名がQQQQであり、アカウント情報が「なし」であり、アイコン画像データ情報がYYYYであることが示されている。
【０１１５】
通し番号が３のコンテンツ連携アクション情報は、識別ＩＤが１３であり、アプリケーション名称がCCCであり、連携機能名がRRRRであり、アカウント情報がTom Brownであり、アイコン画像データ情報がZZZZであることが示されている。
【０１１６】
通し番号が４のコンテンツ連携アクション情報は、識別ＩＤが１６であり、アプリケーション名称がDDDであり、連携機能名がSSSSであり、アカウント情報が「なし」であり、アイコン画像データ情報が「なし」であることが示されている。
【０１１７】
ここで、識別ＩＤは、タブレット端末１１２（または携帯電話機１２３）のＯＳがそのアプリケーションを一意に特定するためのＩＤである。アプリケーション名称は、ユーザの目に見える（ユーザが把握するための）アプリケーションの名称である。
【０１１８】
連携機能名は、そのアプリケーションが一覧表示される際に表示したい文言である。例えば、コンテンツを○○に貼り付ける、つぶやく、または、○○を作成するなどである。
【０１１９】
アカウント情報は、そのアプリケーションがログインしているアカウント名を示す。アイコン画像データ情報は、アイコン画像のファイルパス、または、アイコン画像データに対してbase64変換などをかけて得られる文字データの情報である。
【０１２０】
図６に戻って、ステップＳ１３３により、コンテンツ連携アクション情報がタブレット端末１１２から送信されてくる。これに対応して、コンテンツ受信装置１１１の連携アクション情報受信部１６２は、ステップＳ１０４において、タブレット端末１１２からのコンテンツ連携アクション情報を、受信部１４７を介して取得する。連携アクション情報受信部１６２は、取得したコンテンツ連携アクション情報を、制御部１６６に供給する。
【０１２１】
連携アクション情報要求部１６１は、ステップＳ１０５において、取得した情報に基づいて、送信部１４８を介して、無線通信により、ペアリング済みの機器のうちの携帯電話機１２３に対して、コンテンツ連携アクション情報を要求する。なお、このとき、連携アクション情報要求部１６１は、コンテンツ情報管理部１４４により管理されている表示中のコンテンツの情報を取得し、送信することで、表示中のコンテンツに連携可能なコンテンツ連携アクション情報を要求する。
【０１２２】
携帯電話機１２３の受信部１８５は、ステップＳ１５１において、コンテンツ受信装置１１１からのコンテンツ連携アクション情報の要求を受信し、制御部１８３に供給する。これに対応して、制御部１８３は、スレーブ側のコンテンツ連携アプリケーション１９２を起動させ、図５に示されるブロックの一部を機能させる。
【０１２３】
携帯電話機１２３の連携アクション情報送信部２０２は、アプリケーション情報管理部１８２から、コンテンツ連携アクション情報を取得する。連携アクション情報送信部２０２は、取得したコンテンツ連携アクション情報を、ステップＳ１５２において、送信部１８６を制御し、無線通信により、要求元のコンテンツ受信装置１１１に送信させる。
【０１２４】
これに対応して、コンテンツ受信装置１１１の連携アクション情報受信部１６２は、ステップＳ１０６において、携帯電話機１２３からのコンテンツ連携アクション情報を、受信部１４７を介して取得し、取得したコンテンツ連携アクション情報を、制御部１６６に供給する。
【０１２５】
コンテンツ受信装置１１１の自己情報取得部１６３は、ステップＳ１０７において、制御部１６６の制御のもと、アプリケーション情報管理部１４３から、コンテンツ連携アクション情報を取得し、制御部１６６に供給する。なお、このとき、コンテンツ情報管理部１４４により管理されている表示中のコンテンツの情報が参照される。
【０１２６】
これにより、制御部１６６において、コンテンツ受信装置１１１のコンテンツ連携アクション情報、タブレット端末１１２のコンテンツ連携アクション情報、および携帯電話機１１３のコンテンツ連携アクション情報が取得される。
【０１２７】
制御部１６６は、ステップＳ１０８において、表示制御部１４６を制御し、供給される情報に基づいて、コンテンツ連携アクション情報の表示を制御する。すなわち、制御部１６６は、表示中のコンテンツと連携可能なアプリケーションの一覧を生成させ、表示部１２１に示させる。なお、図６の例においては、コンテンツ受信装置１１１に連携可能なアプリケーションの一覧が生成される例を説明したが、例えば、コンテンツ連携キーを送信したタブレット端末１１２に連携可能なアプリケーションの一覧を表示させるように制御してもよい。
【０１２８】
図９は、コンテンツ受信装置１１１の表示部１２１に表示される連携可能なアプリケーションの一覧の例を示す図である。この連携可能なアプリケーションの一覧は、例えば、表示部１２１の左下隅あたりに表示される。
【０１２９】
図９の例においては、表示中のコンテンツと連携可能なアプリケーション、または表示されている以外にもアプリケーションがあることを示すアイコン画像２２１乃至２２９が、縦３列×横３列で構成されている。
【０１３０】
アイコン画像２２１乃至２２３は、アプリケーションＡに対応するアイコン画像である。アイコン画像２２１における右下部分には、コンテンツ受信装置１１１に対応するアイコン画像２３１が表示されており、これにより、ユーザは、アイコン画像２２１が、コンテンツ受信装置１１１のアプリケーションＡを表していることがわかる。
【０１３１】
アイコン画像２２２における右下部分には、タブレット端末１１２に対応するアイコン画像２３２が表示されており、これにより、ユーザは、アイコン画像２２２が、タブレット端末１１２のアプリケーションＡを表していることがわかる。アイコン画像２２３における右下部分には、携帯電話機１１３に対応するアイコン画像２３３が表示されており、これにより、ユーザは、アイコン画像２２３が、携帯電話機１１３のアプリケーションＡを表していることがわかる。
【０１３２】
アイコン画像２２４は、アプリケーションＤに対応するアイコン画像である。アイコン画像２２４における右下部分には、コンテンツ受信装置１１１に対応するアイコン画像２３１が表示されており、これにより、ユーザは、アイコン画像２２４が、コンテンツ受信装置１１１のアプリケーションＤを表していることがわかる。
【０１３３】
アイコン画像２２５および２２６は、アプリケーションＥに対応するアイコン画像である。アイコン画像２２５における右下部分には、コンテンツ受信装置１１１に対応するアイコン画像２３１が表示されており、これにより、ユーザは、アイコン画像２２５が、コンテンツ受信装置１１１のアプリケーションＥを表していることがわかる。アイコン画像２２６における右下部分には、携帯電話機１１３に対応するアイコン画像２３３が表示されており、これにより、ユーザは、アイコン画像２２４が、携帯電話機１１３のアプリケーションＥを表していることがわかる。
【０１３４】
アイコン画像２２７は、アプリケーションＧに対応するアイコン画像である。アイコン画像２２７における右下部分には、携帯電話機１１３に対応するアイコン画像２３３が表示されており、これにより、ユーザは、アイコン画像２２７が、携帯電話機１１３のアプリケーションＧを表していることがわかる。
【０１３５】
アイコン画像２２８および２２９は、表示されている以外にもアプリケーションがあることを示すアイコン画像である。アイコン画像２２８における右下部分には、携帯電話機１１３に対応するアイコン画像２３３が表示されており、これにより、ユーザは、携帯電話機１１３が表示されている以外のアプリケーションを有していることがわかる。アイコン画像２２９における右下部分には、何も表示されていない。これにより、ユーザは、いずれかの機器が表示されている以外のアプリケーションを有していることがわかる。
【０１３６】
また、図９の例においては、アイコン画像２２３にカーソル２４１が表示されている。例えば、ユーザが、タブレット端末１１２のリモートコントローラアプリケーション１９１により表示部１２２に表示される操作ボタン２１２の上下左右ボタンを操作することで、このカーソル２４１を他のアイコン画像に移動させることができる。
【０１３７】
このカーソル２４１により選択されたアイコン画像２２３には、アイコン画像２２３に対応するアプリケーションＡに関する詳細情報が提示される吹き出し２４２が表示される。図９の例においては、吹き出し２４２には、アイコン画像２２３に対応するアプリケーションＡを有するデバイス名称が、「Tom’ 端末」であり、アイコン画像２２３に対応するアプリケーションＡのアカウントが、「Tom@○○○○.com」であることが示されている。
【０１３８】
また、このカーソル２４１によりアイコン画像２２３が選択されている状態で、ユーザが、タブレット端末１１２のリモートコントローラアプリケーション１９１により表示部１２２に表示される操作ボタン２１２の決定ボタンを押下する。これに対応して、アイコン画像２２３に対応するアプリケーションＡへの連携が決定される。
【０１３９】
さらに、このカーソル２４１により表示されている以外にもアプリケーションがあることを示すアイコン画像２２８または２２９が選択された場合、表示されている以外のアプリケーションを表すアイコン画像２６１乃至アイコン画像２６３が提示される吹き出し２５１が表示される。
【０１４０】
図１０の例においては、アイコン画像２２９がカーソル２４１により選択されて、そのアイコン画像２２９上に、アイコン画像２６１乃至アイコン画像２６３が示される吹き出し２５１が表示されている。
【０１４１】
アイコン画像２６１乃至２６３は、表示されている以外にもアプリケーションがあることを示すアイコン画像である。
【０１４２】
アイコン画像２６１における右下部分には、コンテンツ受信装置１１１に対応するアイコン画像２３１が表示されており、これにより、ユーザは、コンテンツ受信装置１１１が表示されている以外のアプリケーションを有していることがわかる。
【０１４３】
アイコン画像２６２における右下部分には、タブレット端末１１２に対応するアイコン画像２３２が表示されており、これにより、ユーザは、タブレット端末１１２が、表示されている以外のアプリケーションを有していることがわかる。アイコン画像２６３における右下部分には、携帯電話機１１３に対応するアイコン画像２３３が表示されており、これにより、ユーザは、携帯電話機１１３が表示されている以外のアプリケーションを有していることがわかる。
【０１４４】
図１０の例においては、アイコン画像２６１にカーソル２７１が表示されている。例えば、ユーザが、タブレット端末１１２のリモートコントローラアプリケーション１９１により表示部１２２に表示される操作ボタン２１２の上下左右ボタンを操作することで、このカーソル２７１を他のアイコン画像に移動させることができる。
【０１４５】
このカーソル２７１によりアイコン画像２６３が選択され、アイコン画像２６３が選択されている状態で、ユーザが、タブレット端末１１２のリモートコントローラアプリケーション１９１により表示部１２２に表示される操作ボタン２１２の決定ボタンを押下する。これに対応して、図１１に示されるように、例えば、アイコン画像２６３が表す携帯電話機１１３が有するアプリケーションに対応するアイコン画像２８１乃至２８４が一覧表示される。
【０１４６】
アイコン画像２８１は、アプリケーションＡに対応するアイコン画像であり、アイコン画像２８２は、アプリケーションＥに対応するアイコン画像である。アイコン画像２８３は、アプリケーションＢに対応するアイコン画像であり、アイコン画像２８４は、アプリケーションＨに対応するアイコン画像である。
【０１４７】
アイコン画像２８１乃至２８４における右下部分には、携帯電話機１１３に対応するアイコン画像２３３が表示されており、これにより、ユーザは、アイコン画像２８１乃至２８４が、携帯電話機１１３のアプリケーションＡ，Ｅ，Ｂ，Ｂを表していることがわかる。
【０１４８】
以上のように、連携可能なアプリケーションの一覧表示においては、コンテンツ受信装置１１１とペアリング済みの各機器、およびコンテンツ受信装置１１１自身で実行可能なアクションのアプリケーションがまとめて表示される。
【０１４９】
その際に、コンテンツ受信装置１１１側のデザイン制約などで、すべてのアプリケーションを表示できないときは、アプリケーションを階層的に表示させる。
【０１５０】
例えば、図９の一覧表示においては、連携可能なアプリケーションが９つ以上あるが、アイコン画像の表示枠が９つしかない。このような場合、第１階層においては、アプリケーションに対応するアイコン画像の他に、表示されている以外にもアプリケーションがあることを示すアイコン画像（図９のアイコン画像２２８または２２９）を表示させる。
【０１５１】
例えば、図９を参照して上述したように、アイコン画像２２９がカーソル２４１により選択され、決定された場合、図１１に示されるように、機器選択を行わせる第２階層が表示される。
【０１５２】
第２階層として、コンテンツ受信装置１１１、タブレット端末１１２、および携帯電話機１１３において、それぞれ、その他のアプリケーションがあることを示すアイコン画像２６１乃至アイコン画像２６３が表示される。
【０１５３】
そして、図１０を参照して上述したように、例えば、アイコン画像２６３がカーソル２７１により選択され、決定された場合、図１１に示されるように、アクション（を有するアプリケーション）選択を行わせる第３階層が表示される。
【０１５４】
第３階層として、携帯電話機１１３が有するアプリケーションＡ，Ｅ，Ｂ，およびＨに対応するそれぞれのアイコン画像２８１乃至２８４が表示される。なお、これらのアイコン画像２８１乃至２８４は、優先度順にソートされて表示される。これにより、機器別にアプリケーションを選択することができる。
【０１５５】
なお、第２階層および第３階層の表示は、図９および図１０に示されたように、カーソルにより選択されたアイコン上に吹き出しとして行うようにしてもよい。また、第２階層および第３階層の表示は、カーソルで選択された状態で決定された場合に、上位階層の表示を禁止して、下位階層の表示だけを行うようにしてもよい。
【０１５６】
また、連携可能なアプリケーションの一覧表示においては、各アプリケーションに表示優先度があり、その優先度が高いものが、その他の中に取り込まれずに、第１階層で表示される。この優先度は、ユーザのアプリケーションの使用頻度、世の中の人気度、ユーザの設定、あるいは、デフォルトの設定に基づくものであり、各情報に応じて変更される。
【０１５７】
なお、上述したように、コンテンツ受信装置１１１とペアリング済みの各機器（コンテンツ受信装置１１１含む）すべてにおいて、連携可能なアプリケーションに優先度を付けてもよいし、アプリケーションの優先度の前に、機器のフィルタリングを行うようにしてもよい。
【０１５８】
すなわち、４人家族それぞれがコンテンツ受信装置、携帯電話機、およびタブレット端末をそれぞれ持っていたら、計１２個の装置において連携可能なアプリケーションを表示するとなってしまうため、かなりの数の表示が想定される。
【０１５９】
そこで、いま操作している人、あるいは、いま操作している機器とその機器に関連する機器のアプリケーションの優先度を高くしたり、それ以外の機器のアプリケーションを表示しないようにフィルタリングを行ったりしてもよい。
【０１６０】
その際、コンテンツ受信装置１１１の表示部１２１近傍に設けられた撮像機能で人を識別したり、各装置にアカウント情報が保存されているので、同じアカウントの機器を識別したりする方法で、人や機器が識別可能である。
【０１６１】
なお、図９乃至図１１においては、アイコン画像に、機器を識別するアイコン画像を付加する例が示されているが、機器の所有者やアカウントを示す顔サムネイルやアイコンを付加するようにしてもよい。また、機器を識別するアイコンや、所有者を識別するアイコンのどちらを表示させるかをユーザが設定することができるようにしてもよい。
【０１６２】
また、サムネイルやアイコンを付加するほかに、背景色やフォーカス色などで、連携可能なアプリケーションの機器や所有者を、簡単に識別できるようにしてもよい。
【０１６３】
なお、アプリケーションの一覧表示は、図９乃至図１１に示した例に限らない。例えば、メニューのようにリスト表示してもよいし、スクロール表示してもよい。
【０１６４】
再び、図６に戻って、上述したように、ステップＳ１０８により、コンテンツ連携アクション情報の表示が制御されて、表示中のコンテンツと連携可能なアプリケーションの一覧が表示部１２１に表示される。
【０１６５】
図９のカーソル２４１によりアイコン画像２２３が選択されている状態で、ユーザが、タブレット端末１１２のリモートコントローラアプリケーション１９１により表示部１２２に表示される操作ボタン２１２の決定ボタンを押下する。これに対応して、アイコン画像２２３に対応する携帯電話機１１３のアプリケーションＡへの連携が決定される。
【０１６６】
図６のステップＳ１３４において、タブレット端末１１２の操作情報送信部２０１は、ユーザ操作入力部１８７からの操作信号に対応して、携帯電話機１１３のアプリケーションＡの選択を、送信部１８６を制御し送信させる。送信部１８６は、無線通信により、携帯電話機１１３のアプリケーションＡの選択を示す情報を送信する。
【０１６７】
コンテンツ受信装置１１１の受信部１４７は、ステップＳ１０９において、携帯電話機１１３のアプリケーションＡの選択を示す情報を受信し、受信した携帯電話機１１３のアプリケーションＡの選択を示す情報を制御部１６６に供給する。
【０１６８】
制御部１６６は、受信部１４７からの情報に基づいて、対象機器（携帯電話機１１３）と、アプリケーション（アプリケーションＡ）における連携可能なアクションのコマンドである連携コマンドを取得する。制御部１６６は、取得した対象機器と連携コマンドを、コマンド送信部１６４に供給する。
【０１６９】
コマンド送信部１６４は、ステップＳ１１１において、送信部１４８を制御し、無線通信により、対象機器である携帯電話機１１３に連携コマンドを送信させる。
【０１７０】
これに対応して、携帯電話機１１３の受信部１８５は、ステップＳ１５３において、連携コマンドを受信し、受信した連携コマンドを、コマンド実行部２０３に供給する。
【０１７１】
ステップＳ１５４において、携帯電話機１１３のコマンド実行部２０３は、連携コマンドを実行する。
【０１７２】
すなわち、これにより、ノートアプリケーションが起動し、コンテンツ受信装置１１１で実行されていたアプリケーションのコンテンツである旅番組のハワイ情報が、携帯電話機１１３のノートアプリケーションにクリップ（保存）されるアクションが実行される。
【０１７３】
以上のように、コンテンツ受信装置１１１の状況、すなわち、コンテンツ受信装置１１１で実行されていたアプリケーションと、携帯電話機１１３のアプリケーションとを連携させることができる。
【０１７４】
これにより、パブリックな機器であるコンテンツ受信装置１１１に表示されているコンテンツ情報を、他の人に見られることなく、プライベートな機器のアプリケーションに簡単に連携させることができる。
【０１７５】
また、複数の機器と複数のユーザがいる状況にも、いま使用中のユーザに最適化することが可能である。
【０１７６】
なお、ここで、上述した図６のステップＳ１１１およびそれに対応して実行されるステップＳ１５３の処理について図１２を参照して説明する。図１２の例においては、図６のステップＳ１１１の処理を実行するコンテンツ受信装置１１１およびステップＳ１５３の処理を実行する携帯電話機１１３が示されている。
【０１７７】
すなわち、ステップＳ１１１により連携コマンドが携帯電話機１１３に送信される。その際に、コンテンツ受信装置１１１の制御部１６６は、表示制御部１４６を制御し、選択されたアプリケーションＡに対応するアイコン画像３０１が、携帯電話機１１３へ飛ぶかのように、表示部１２１の画面外に移動するアニメーション（トランジション）や矢印３０２を表示させる。
【０１７８】
ステップＳ１１１の処理に対応して、ステップＳ１５３により連携コマンドが携帯電話機１１３に受信される。その際に、携帯電話機１１３の制御部１８３は、表示制御部１８４を制御し、アプリケーションＡに対応するアイコン画像３１１が、コンテンツ受信装置１１１から飛んでくるかのように、表示部１２３の画面外から画面内に移動するアニメーション（トランジション）や矢印３１２を表示させる。
【０１７９】
また、コンテンツ受信装置１１１において、送信時に「ピン」という音を出力させ、携帯電話機１１３において、受信時に、上記「ピン」の音につながる「ポーン」という音を出力させるようにしてもよい。
【０１８０】
さらに、携帯電話機１１３においては、受信時などに、バイブレーション３２３を発生させてもよい。
【０１８１】
このようにすることで、ユーザにアプリケーション同士の連携をさらに認識させることができる。
【０１８２】
なお、上記説明においては、タブレット端末１１２を操作して、コンテンツ受信装置１１１と携帯電話機１１３のアプリケーションを連携させる例を説明したが、コンテンツ受信装置１１１とタブレット端末１１２のアプリケーションを連携させることも可能である。また、タブレット端末１１２の代わりに、携帯電話機１１３を操作して、コンテンツ受信装置１１１と携帯電話機１１３（またはタブレット端末１１２）のアプリケーションを連携させることも可能である。さらに、タブレット端末１１２（または携帯電話機１１３）を操作して、コンテンツ受信装置１１１のアプリケーション同士を連携させることも可能である。
【０１８３】
また、上記説明においては、コンテンツ受信装置１１１に、連携可能なアプリケーションの一覧を表示させる例を説明したが、タブレット端末１１２に表示させるようにしてもよいし、携帯電話機１１３に表示させるようにしてもよい。
【０１８４】
上述した一連の処理は、ハードウエアにより実行することもできるし、ソフトウエアにより実行することもできる。一連の処理をソフトウエアにより実行する場合には、そのソフトウエアを構成するプログラムが、コンピュータにインストールされる。ここで、コンピュータには、専用のハードウエアに組み込まれているコンピュータや、各種のプログラムをインストールすることで、各種の機能を実行することが可能な、例えば汎用のパーソナルコンピュータなどが含まれる。
【０１８５】
＜２．第２の実施の形態（コンピュータ）＞
[コンピュータの構成例]
図１３は、上述した一連の処理をプログラムにより実行するコンピュータのハードウエアの構成例を示している。
【０１８６】
コンピュータ５００において、CPU（Central Processing Unit）５０１，ROM（Read Only Memory）５０２，RAM（Random Access Memory）５０３は、バス５０４により相互に接続されている。
【０１８７】
バス５０４には、さらに、入出力インタフェース５０５が接続されている。入出力インタフェース５０５には、入力部５０６、出力部５０７、記憶部５０８、通信部５０９、及びドライブ５１０が接続されている。
【０１８８】
入力部５０６は、キーボード、マウス、マイクロホンなどよりなる。出力部５０７は、ディスプレイ、スピーカなどよりなる。記憶部５０８は、ハードディスクや不揮発性のメモリなどよりなる。通信部５０９は、ネットワークインタフェースなどよりなる。ドライブ５１０は、磁気ディスク、光ディスク、光磁気ディスク、又は半導体メモリなどのリムーバブルメディア５１１を駆動する。
【０１８９】
以上のように構成されるコンピュータでは、CPU５０１が、例えば、記憶部５０８に記憶されているプログラムを、入出力インタフェース５０５及びバス５０４を介して、RAM５０３にロードして実行することにより、上述した一連の処理が行われる。
【０１９０】
コンピュータ（CPU５０１）が実行するプログラムは、例えば、パッケージメディア等としてのリムーバブルメディア５１１に記録して提供することができる。また、プログラムは、ローカルエリアネットワーク、インターネット、デジタル衛星放送といった、有線または無線の伝送媒体を介して提供することができる。
【０１９１】
コンピュータでは、プログラムは、リムーバブルメディア５１１をドライブ５１０に装着することにより、入出力インタフェース５０５を介して、記憶部５０８にインストールすることができる。また、プログラムは、有線または無線の伝送媒体を介して、通信部５０９で受信し、記憶部５０８にインストールすることができる。その他、プログラムは、ROM５０２や記憶部５０８に、あらかじめインストールしておくことができる。
【０１９２】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１９３】
なお、本明細書において、上述した一連の処理を記述するステップは、記載された順序に沿って時系列的に行われる処理はもちろん、必ずしも時系列的に処理されなくとも、並列的あるいは個別に実行される処理をも含むものである。
【０１９４】
また、本開示における実施の形態は、上述した実施の形態に限定されるものではなく、本開示の要旨を逸脱しない範囲において種々の変更が可能である。
【０１９５】
また、上述のフローチャートで説明した各ステップは、１つの装置で実行する他、複数の装置で分担して実行することができる。
【０１９６】
さらに、１つのステップに複数の処理が含まれる場合には、その１つのステップに含まれる複数の処理は、１つの装置で実行する他、複数の装置で分担して実行することができる。
【０１９７】
また、以上において、１つの装置（または処理部）として説明した構成を分割し、複数の装置（または処理部）として構成するようにしてもよい。逆に、以上において複数の装置（または処理部）として説明した構成をまとめて１つの装置（または処理部）として構成されるようにしてもよい。また、各装置（または各処理部）の構成に上述した以外の構成を付加するようにしてももちろんよい。さらに、システム全体としての構成や動作が実質的に同じであれば、ある装置（または処理部）の構成の一部を他の装置（または他の処理部）の構成に含めるようにしてもよい。つまり、本技術は、上述した実施の形態に限定されるものではなく、本技術の要旨を逸脱しない範囲において種々の変更が可能である。
【０１９８】
以上、添付図面を参照しながら本開示の好適な実施形態について詳細に説明したが、開示はかかる例に限定されない。本開示の属する技術の分野における通常の知識を有するであれば、特許請求の範囲に記載された技術的思想の範疇内において、各種の変更例また修正例に想到し得ることは明らかであり、これらについても、当然に本開示の技術的範囲に属するものと了解される。
【０１９９】
なお、本技術は以下のような構成も取ることができる。
（１）  第１の情報処理装置は、
ユーザの操作に対応して、第２の情報処理装置に対し、連携可能なアプリケーションの情報の要求を行うアプリケーション情報要求部と、
前記アプリケーション情報要求部による要求に対応して、前記第２の情報処理装置から送信されてくる第２の情報処理装置のアプリケーションの情報を受信するアプリケーション情報受信部と、
前記アプリケーション情報受信部により受信された第２の情報処理装置のアプリケーションの情報に基づいて、連携可能なアプリケーションのうち、ユーザが所望するアプリケーションを実行するためのコマンドを、前記アプリケーションに対応する第２の情報処理装置に送信するコマンド送信部と
を備え、
前記第２の情報処理装置は、
前記アプリケーション情報要求部により要求された第２の情報処理装置のアプリケーションの情報を、前記第１の情報処理装置に対して送信するアプリケーション情報送信部と、
前記コマンド送信部により送信されたコマンドを実行するコマンド実行部と
を備える
情報処理システム。
（２）  ユーザの操作に対応して、他の情報処理装置に対し、連携可能なアプリケーションの情報の要求を行うアプリケーション情報要求部と、
前記アプリケーション情報要求部による要求に対応して、前記他の情報処理装置から送信されてくる他の情報処理装置のアプリケーションの情報を受信するアプリケーション情報受信部と、
前記アプリケーション情報受信部により受信された他の情報処理装置のアプリケーションの情報に基づいて、連携可能なアプリケーションのうち、ユーザが所望するアプリケーションを実行するためのコマンドを、前記アプリケーションに対応する他の情報処理装置に送信するコマンド送信部と
を備える情報処理装置。
（３）  前記アプリケーション情報要求部は、前記情報処理装置における状況に連携可能なアプリケーションの情報の要求を行う
前記（２）に記載の画像処理装置。
（４）  前記アプリケーション情報受信部により受信された他の情報処理装置のアプリケーションの情報に基づいて、連携可能なアプリケーションの一覧を表示させる表示制御部を
さらに備える前記（２）または（３）に記載の画像処理装置。
（５）  前記表示制御部は、前記アプリケーションの優先度に応じて、前記アプリケーションの一覧を表示させる
前記（４）に記載の画像処理装置。
（６）  前記アプリケーションの優先度は、前記アプリケーションの使用頻度に応じて変更される
前記（５）に記載の画像処理装置。
（７）  前記アプリケーションの優先度は、前記アプリケーションに対応する他の情報処理装置が使用中である場合に高くなる
前記（５）に記載の画像処理装置。
（８）  前記表示制御部は、前記アプリケーションの優先度に応じて、前記アプリケーションの一覧を階層構造で表示させる
前記（４）乃至（７）のいずれかに記載の画像処理装置。
（９）  前記表示制御部は、第１の階層において、前記アプリケーションの優先度に応じて、前記アプリケーションの一覧を表示させ、
第２の階層において、前記他の情報処理装置の一覧を表示させ、
第３の階層において、前記他の情報処理装置毎の前記アプリケーションの一覧を表示させる
前記（８）に記載の画像処理装置。
（１０）  前記表示制御部は、前記アプリケーションに対応する他の情報処理装置を示す情報をアプリケーション毎に付加して、前記アプリケーションの一覧を表示させる
前記（４）に記載の画像処理装置。
（１１）  前記表示制御部は、前記アプリケーションの一覧から、実行するアプリケーションが選択された場合、選択されたアプリケーションが、対応する他の情報処理装置に移動するように画面の外側に消える動画像を表示させる
前記（４）に記載の画像処理装置。
（１２）前記ユーザの操作に対応して、連携可能な自己のアプリケーションの情報を取得する自己情報取得部をさらに備え、
前記コマンド送信部は、前記アプリケーション情報受信部により受信された他の情報処理装置のアプリケーションの情報および前記自己情報取得部により取得された自己のアプリケーションの情報に基づいて、連携可能なアプリケーションのうち、ユーザが所望するアプリケーションを実行するためのコマンドを、前記アプリケーションに対応する他の情報処理装置または情報処理装置に送信する
前記（３）に記載の画像処理装置。
（１３）  画像処理装置が、
ユーザの操作に対応して、他の情報処理装置に対し、連携可能なアプリケーションの情報の要求を行い、
前記要求に対応して、前記他の情報処理装置から送信されてくる他の情報処理装置のアプリケーションの情報を受信し、
受信された他の情報処理装置のアプリケーションの情報に基づいて、連携可能なアプリケーションのうち、ユーザが所望するアプリケーションを実行するためのコマンドを、前記アプリケーションに対応する他の情報処理装置に送信する
情報処理方法。
（１４）  ユーザの操作に対応して、他の情報処理装置から送信されてくる連携可能なアプリケーションの情報の要求に対応して、アプリケーションの情報を、前記他の情報処理装置に対して送信するアプリケーション情報送信部と、
前記アプリケーション情報送信部により送信されたアプリケーションの情報に基づいて、連携可能なアプリケーションのうち、ユーザが所望するアプリケーションを実行するためのコマンドが送信されてきた場合、前記コマンドを実行するコマンド実行部と
を備える情報処理装置。
（１５）  前記アプリケーションを実行するためのコマンドが送信されてきた場合、前記アプリケーションが前記他の情報処理装置から移動してきたように、画面の外側から現れる動画像を表示させる表示制御部
をさらに備える前記（１４）に記載の画像処理装置。
（１６）  画像処理装置が、
ユーザの操作に対応して、他の情報処理装置から送信されてくる連携可能なアプリケーションの情報の要求に対応して、アプリケーションの情報を、前記他の情報処理装置に対して送信し、
送信されたアプリケーションの情報に基づいて、連携可能なアプリケーションのうち、ユーザが所望するアプリケーションを実行するためのコマンドが送信されてきた場合、前記コマンドを実行する
情報処理方法。
【符号の説明】
【０２００】
１０１  情報処理システム，  １１１  コンテンツ受信装置，  １１２  タブレット端末，  １１３  携帯電話機，  １２１乃至１２３  表示部，  １４１  放送受信部，  １４２  ペアリング機器管理部，  １４３  アプリケーション情報管理部，  １４４  コンテンツ情報管理部，  １４５  制御部，  １４６  表示制御部，  １４７  受信部，  １４８  送信部，  １４９  ユーザ操作入力部，  １５１  コンテンツ連携アプリケーション，  １６１  連携アクション情報要求部，  １６２  連携アクション情報受信部，  １６３  自己情報取得部，  １６４  コマンド送信部，  １６５  コマンド実行部，  １６６  制御部，  １８１  機器情報管理部，  １８２  アプリケーション情報管理部，  １８３  制御部，  １８４  表示制御部，  １８５  受信部，  １８６  送信部，  １８７  ユーザ操作入力部，  １９１  リモートコントローラアプリケーション，  １９２  コンテンツ連携アプリケーション，  ２０１  操作情報送信部，  ２０２  アプリケーション情報送信部，  ２０３  コマンド実行部
【図１】
2014002465.tif 000003
【図２】
2014002465.tif 000004
【図３】
2014002465.tif 000005
【図４】
2014002465.tif 000006
【図５】
2014002465.tif 000007
【図６】
2014002465.tif 000008
【図７】
2014002465.tif 000009
【図８】
2014002465.tif 000010
【図９】
2014002465.tif 000011
【図１０】
2014002465.tif 000012
【図１１】
2014002465.tif 000013
【図１２】
2014002465.tif 000014
【図１３】
2014002465.tif 000015